(57)【要約】【課題】両開き構造よりなる一対の扉の開閉を一方の扉の操作のみで行うことができる収納装置を提供する。【解決手段】扉３ａ及び３ｂの背面と平行に取付けられた回動軸１０の両端部には、互いに平行で回動軸１０と直交する向きに配置された一対のアーム１１ａ及び１１ｂの各々の一方端部が取付けられている。更に、一対の作動棒１２ａ及び１２ｂが配置され、その一方端部がアーム１１ａ及び１１ｂにそれぞれ取付けられると共に、他方端部が扉３ａ及び３ｂの背面にそれぞれ取付けられている。扉３ａを開く方向に移動すると、作動棒１２ａを介して支持アーム１１ａが前方へと引き出される。このとき支持アーム１１ａ及び１１ｂと回動軸１０とは一体となって回転するため、支持アーム１１ｂは作動棒１２ｂを前方へと移動させる。従って、扉３ａの操作のみで扉３ｂも開く方向へと移動することが可能となる。【選択図】        図６
2004332391.tif 000002
【特許請求の範囲】
【請求項１】
両開き構造よりなる一対の扉を有する収納装置であって、
前記扉の各々の背面に接続された一対の接続体と、
前記接続体の各々に連結され、前記扉の一方の開閉による前記接続体の一方の移動に伴ってその軸方向を中心に回転すると共に、前記接続体の他方を前記扉の他方が開閉するように移動させる連結体とを備えた、収納装置。
【請求項２】
前記扉は、水平方向に開閉し、
前記連結体は、その軸方向が前記背面と平行な方向にほぼ水平に配置された回動軸と、前記回動軸の両端に前記回動軸に対して直交し、かつ、平行に各々の一方端部が取付けられた一対のアームとからなり、
前記接続体の各々は、前記アームの各々の他方端部にその一方端部が回動自在に取付けられると共に、前記背面の各々にその他方端部が回動自在に取付けられた棒体とからなる、請求項１記載の収納装置。
【請求項３】
前記アームの各々と前記棒体の各々とは、ほぼ同一面内に配置され、
前記扉が完全に開いた状態で前記アームの各々と前記棒体の各々とは、ほぼ直線状に整列する、請求項２記載の収納装置。
【請求項４】
前記アームの前記他方端部は、前記扉の開く方向への移動に伴って、前記回動軸を中心に前記回動軸のほぼ垂直上方から前記背面側へと移動し、
前記アームの各々と前記棒体の各々とがほぼ直線状に整列した状態で前記アームと前記棒体の移動を停止するストッパー手段を更に備えた、請求項３記載の収納装置。
【発明の詳細な説明】
【０００１】
【発明の属する技術分野】
この発明は、収納装置に関し、特に台所等で使用される両開き構造の扉を有する収納装置に関するものである。
【０００２】
【従来の技術】
図７は、台所における従来の収納棚の使用状態を示した図である。また、図８は、図７で示したＶＩＩＩ−ＶＩＩＩラインの断面図であり、図９は、図７で示したＩＸ−ＩＸラインの断面図である。
【０００３】
これらの図を参照して、台所の床３３上には調理台５２が設置され、その上方の天井３１と壁３２に接するように収納棚５１が取付けられている。この収納棚５１は、台所で使用する調理器具や食器等を収納するために使用されるものである。
【０００４】
収納棚５１は、一面が開放された箱形形状を有する収納本体２と、収納本体の開放された面を覆うように両開きに取付けられた一対の扉３ａ及び３ｂとから構成されている。この扉３ａ及び３ｂの各々は、図示しない取付け具を介して、図９に示した軸６ａ及び６ｂを中心に開閉自在に取付けられている。また、扉３ａ及び３ｂのそれぞれの前面には、扉の開閉操作時に使用するための取手４ａ及び４ｂがそれぞれ取付けられている。
【０００５】
【発明が解決しようとする課題】
上記のような収納棚に物品を収納したり、取り出したりする際は、一対の扉のそれぞれを開閉する必要がある。例えば、一方の扉の開閉のみでは出し入れが困難な比較的大きな物品を出し入れする場合は、一対の扉の両方を順次開閉することになる。特に、出し入れする物品を片方の手に持ったまま扉を開閉する必要が生じたときは、片手で両方の扉を順に開閉するか、一旦手に持った物品を置いてから扉の開閉を行うことになるため、操作が煩雑になり、収納作業の効率が良くない。
【０００６】
この発明は、この課題を解決するためになされたもので、両開き構造よりなる一対の扉の開閉を一方の扉の操作のみで行うことができる収納装置を提供することを目的とする。
【０００７】
【課題を解決するための手段】
上記の目的を達成するために、請求項１記載の発明は、両開き構造よりなる一対の扉を有する収納装置であって、扉の各々の背面に接続された一対の接続体と、接続体の各々に連結され、扉の一方の開閉による接続体の一方の移動に伴ってその軸方向を中心に回転すると共に、接続体の他方を扉の他方が開閉するように移動させる連結体とを備えたものである。
【０００８】
このように構成すると、一方の扉の開閉による一方の接続体の移動が連結体を介して他方の接続体の移動として伝達される。
【０００９】
請求項２記載の発明は、請求項１記載の発明の構成において、扉は、水平方向に開閉し、連結体は、その軸方向が背面と平行な方向にほぼ水平に配置された回動軸と、回動軸の両端に回動軸に対して直交し、かつ、平行に各々の一方端部が取付けられた一対のアームとからなり、接続体の各々は、アームの各々の他方端部にその一方端部が回動自在に取付けられると共に、背面の各々にその他方端部が回動自在に取付けられた棒体とからなるものである。
【００１０】
このように構成すると、連結体の回転は、アームの各々を介して棒体の各々を移動させると共に、棒体の各々の移動量がほぼ等しくなる。
【００１１】
請求項３記載の発明は、請求項２記載の発明の構成において、アームの各々と棒体の各々とは、ほぼ同一面内に配置され、扉が完全に開いた状態でアームの各々と棒体の各々とは、ほぼ直線状に整列するものである。
【００１２】
このように構成すると、扉が完全に開いた状態で、棒体は回動軸から最も離れた位置に移動する。
【００１３】
請求項４記載の発明は、請求項３記載の発明の構成において、アームの他方端部は、扉の開く方向への移動に伴って、回動軸を中心に回動軸のほぼ垂直上方から背面側へと移動し、アームの各々と棒体の各々とがほぼ直線状に整列した状態でアームと棒体の移動を停止するストッパー手段を更に備えたものである。
【００１４】
このように構成すると、扉が完全に開いた状態において、アームと棒体は、それらの自重によって扉が閉じる方向への移動が抑制されると共に、ストッパーによって扉が開く方向への移動が阻止される。
【００１５】
【発明の効果】
以上説明したように、請求項１記載の発明は、一方の扉の開閉による一方の接続体の移動が連結体を介して他方の接続体の移動として伝達されるので、一方の扉の開閉に従って他方の扉も開閉し、両開き扉の開閉が容易となる。
【００１６】
請求項２記載の発明は、請求項１記載の発明の効果に加えて、連結体の回転は、アームの各々を介して棒体の各々を移動させると共に、棒体の各々の移動量がほぼ等しくなるので、扉の各々の開閉方向の移動量をほぼ等しくすることが可能となる。
【００１７】
請求項３記載の発明は、請求項２記載の発明の効果に加えて、扉が完全に開かれた状態になると棒体は回動軸から最も離れた位置に移動するため、扉がそれ以上開くことがない。
【００１８】
請求項４記載の発明は、請求項３記載の発明の効果に加えて、扉が完全に開いた状態において、アームと棒体とは、それらの自重によって扉が閉じる方向への移動が抑制されると共に、ストッパーによって扉が開く方向への移動が阻止されるため、扉は完全に開放された位置に保持される。
【００１９】
【発明の実施の形態】
図１は、この発明の第１の実施の形態による収納装置の正面図である。また、図２は、図１で示したＩＩ−ＩＩラインの断面図であり、図３は、図１で示したＩＩＩ−ＩＩＩラインの断面図である。
【００２０】
これらの図を参照して、収納装置１は、図７で示した従来例と同様に台所等の天井３１と壁３２とに接するように取付けられている。
【００２１】
収納装置１は、一面が開放され、一対の側板５ａ及び５ｂを有する箱形形状の収納本体２と、収納本体２の開放された面を覆うように取付けられた一対の扉３ａ及び３ｂとを含んでいる。扉３ａ及び３ｂは、従来例と同様に軸６ａ及び６ｂを中心に水平方向に両開きに開閉自在となるように取付けられている。また、扉３ａ及び３ｂの各々の外方面の下方には、開閉時に使用する取手４ａ及び４ｂがそれぞれ取付けられている。
【００２２】
これらに加えて、収納装置１は、扉３ａ及び３ｂを開閉するための機構を収納本体２の内部に備えている点が、図７で示した従来例とは大きく異なっている。まず、この機構の構成について説明する。
【００２３】
収納本体２の背板７の内方面に沿う位置には、回動軸１０が、その軸方向が側板５ａ及び５ｂの内方面の各々とほぼ直交する方向、すなわち、扉３ａ及び３ｂの背面に平行な方向となるように配置されている。回動軸１０の両端部は、支持ブラケット１３ａ及び１３ｂを介して、その軸中心周りに回動自在に側板５ａ及び５ａの内方面に取付けられている。また、回動軸１０の両端部には、回動軸１０とほぼ直交し、互いに平行な一対のアーム１１ａ及び１１ｂのそれぞれの一方端部が取付けられている。したがって、アーム１１ａ及び１１ｂは、回動軸１０と一体となって回動軸１０を中心に回転することができる。
【００２４】
このアーム１１ａ及び１１ｂと扉３ａ及び３ａの背面とをそれぞれ接続するように、一対の作動棒１２ａ及び１２ｂが取付けられている。作動棒１２ａは、側板５ａの内方面側においてアーム１１ａとほぼ同一面内に含まれる位置に配置されている。作動棒１２ａの一方の端部１４ａは、水平方向にほぼ直角に折り曲げられて、アーム１１ａの端部２０ａに形成された図示しない開口を挿通するように取り付けられており、作動棒１２ａは端部１４ａを中心にほぼ垂直方向に回動自在である。一方、作動棒１２ａの他方の端部１５ａは、垂直方向にほぼ直角に折り曲げられて、扉３ａの背面の扉ブラケット１６ａの図示しない開口を挿通するように取付けられており、作動棒１２ａは端部１５ａを中心にほぼ水平方向に回動自在である。また、側板５ｂ側についても、側板５ａ側と同様に、作動棒１２ｂの端部１４ｂがアーム１１ｂの端部２０ｂに回動自在に取付けられると共に、他方の端部１５ｂが扉ブラケット１６ｂに回動自在に取付けられている。これらの作動棒１２ａ及び１２ｂは、扉３ａ及び３ｂが完全に閉じられアーム１１ａ及び１１ｂが鉛直方向に位置した状態において、完全に収納本体２の内部に格納される長さに形成されている。
【００２５】
また、側板５ａ及び５ｂの内方面には、ストッパー１８ａ及び１８ｂが取付けられている。ストッパー１８ａ及び１８ｂは、アーム１１ａ及び１１ｂの移動を停止するために取り付けられているものである。
【００２６】
次に、収納装置の扉３ａ及び３ｂの開閉動作について説明する。
【００２７】
図４は、この発明の第１の実施の形態による収納装置における扉の開閉機構の概略図であり、図５は、図４で示したＶ−Ｖラインから見た図である。
【００２８】
これらの図を参照して、実線で示した部分は、扉３ａ及び３ｂが完全に閉じられた状態における各構成部材の位置を示し、二点鎖線で示した部分は、扉３ａ及び３ｂが完全に開かれて、図示しない一対の側板のそれぞれとほぼ同一面上に位置している状態における各構成部材の位置を示している。
【００２９】
扉３ａ及び３ｂが完全に閉じられた状態では、回動軸１０の両端部に取付けられた一対のアーム１１ａ及び１１ｂは、その端部２０ａ及び２０ｂが回動軸１０ａ両端部のほぼ垂直上方に位置している。また、作動棒１２ａ及び１２ｂはほぼ水平に配置されている。
【００３０】
ここで、例えば右側の扉３ａを取手を持って矢印の方向へと移動させると、扉３ａの背面に取付けられた扉ブラケット１６ａもまた扉３ａに従って移動する。すると、扉ブラケット１６ａに取付けられた作動棒１２ａは、扉ブラケット１６ａに従って、収納本体の内方から外方へと向かう方向へと移動する。上述の通り、作動棒１２ａの端部１４ａはアーム１１ａに回動自在に取付けられており、また、アーム１１ａは回動軸１０を中心に回動自在である。よって、アーム１１ａの端部２０ａは、作動棒１２ａと共に外方へと向かう方向、すなわち、回動軸１０を中心とする円弧上を、回動軸１０のほぼ垂直上方から扉３ａ側へと図の矢印の方向へ移動する。これに伴って、回動軸１０も矢印の方向へ回転するため、扉３ａ及び作動棒１２ａの移動によって生じたアーム１１ａの移動は、回動軸１０を介して、他方のアーム１１ｂにまで伝達されることとなる。
【００３１】
アーム１１ｂの端部２０ｂは、回動軸１０の矢印方向への回転に伴って、回動軸１０のほぼ垂直上方から扉３ｂ側へと回動軸１０を中心に移動する。このとき、アーム１１ｂの端部２０ｂは、作動棒１２ｂの端部１４ｂと接続されているため、作動棒１２ｂを扉３ｂ側へと移動させる。すると、作動棒１２ｂの端部１５ｂにより押されて、扉ブラケット１６ｂ及び扉３ｂが矢印の方向へ移動することとなる。
【００３２】
このように、一方の扉３ａを開く方向に移動すると、それに伴って扉３ｂもまた開く方向へと移動する。
【００３３】
扉３ａ及び３ｂが完全に開放されると、扉３ａ及び３ｂ、扉ブラケット１６ａ及び１６ｂ、作動棒１２ａ及び１２ｂ、そしてアーム１１ａ及び１１ｂはそれぞれ、二点鎖線で示した位置へと移動する。このとき、アーム１１ａと作動棒１２ａとの関係についてみると、アーム１１ａと作動棒１２ａとは、ほぼ同一面内に含まれており、かつ、アーム１１ａと作動棒１２ａとがほぼ直線状に整列した状態となっている。すなわち、アーム１１ａと作動棒１２ａの長さによって、完全に開いた状態からの扉３ａの更なる移動が規制され、扉３ａはそれ以上開く方向へと移動することができない。また、他方のアーム１１ｂと作動棒１２ｂについてもこれと同様に構成されているため、扉３ｂの完全に開いた状態からの更なる移動も規制されている。
【００３４】
また、このとき、収納本体の側板の内方面に取付けられたストッパー１８ａ及び１８ｂによって、アーム１１ａ及び１１ｂの矢印方向への移動が停止する。アーム１１ａ及び１１ｂの移動が停止した状態では、作動棒１２ａ及び１２ｂは、外方への移動が完全に停止すると同時に、自身の自重とアーム１１ａ及び１１ｂの自重とによって収納本体の内方へと向かう方向の移動が抑制される。したがって、扉３ａ及び３ｂが完全に開いた状態から更に開く方向への扉の移動がより一層強固に規制されると共に、閉じる方向への扉の移動も抑制されることになる。
【００３５】
一方、扉３ａ及び３ｂが完全に開いた状態から閉じる方向へと移動するときには、扉の開閉機構の各構成部材は、上述した扉の開動作時とは逆に移動する。すなわち、図の二点鎖線で示した位置に各構成部材が位置している場合から、例えば扉３ａを閉じる方向へと移動させると、作動棒１２ａが内方へと移動するため、作動棒１２ａの端部１４ａによってアーム１１ａの端部２０ａは、扉３ａ側から回動軸１０を中心に回動軸１０の垂直上方へと移動する。アーム１１ａの移動は、回動軸１０の回転を介してアーム１１ｂへと伝達され、アーム１１ｂの端部２０ｂは、回動軸１０を中心に扉３ｂ側から回動軸１０の垂直上方へと移動する。このとき、アーム１１ｂの端部２０ｂの移動に伴って作動棒１２ｂは収納本体の内方へと移動するため、扉３ｂは閉じる方向へ移動する。そして、最終的に、扉３ａの閉鎖に伴って、扉３ｂも完全に閉じられた状態（図の実線で示した位置）となる。
【００３６】
尚、以上の説明では、右側の扉３ａのみを開閉した場合の動作について説明したが、開閉機構は左右対称となるように構成されているため、左側の扉３ｂのみを開閉すると、それに伴って右側の扉３ａも同様に開閉することができる。
【００３７】
次に、収納装置全体の使用状態について説明する。
【００３８】
図６は、この発明の第１の実施の形態による収納装置における扉の開閉動作を示した図であり、既に示した図３に対応する図である。
【００３９】
図を参照して、扉が完全に閉じた状態、すなわち、扉３ａ及び３ｂが実線で示した位置にある状態で収納装置１に物品を出し入れする場合、使用者は一対の扉３ａ及び３ｂのうち、少なくとも一方を開くように操作すれば良い。例えば、右側の扉３ａを開く方向に移動すると、上述の通り、扉３ａの移動は、側板５ａ側から、作動棒１２ａ、アーム１１ａ、回動軸１０、アーム１１ｂ、作動棒１２ｂの順に伝達され、扉３ｂを開く方向へと移動させる。これらの各部材の移動量は、側板５ａ側と５ｂ側でそれぞれほぼ等しいため、扉３ａを破線で示した位置まで所定量開くと、これに伴って、扉３ｂも破線で示した位置まで扉３ａとほぼ同じ量だけ移動する。更に、扉３ａを二点鎖線で示した位置まで移動して、完全に開放すると、扉３ｂもまた二点鎖線で示した位置まで移動し、完全に開放された状態となる。したがって、扉３ａ及び３ｂの開放を一方の扉のみで同時に行うことができ、収納時に片手に収納物品を持っていたとしても、効率よく収納をすることが可能となる。また、このとき、扉３ａ及び３ｂは一旦完全に開いた状態となると、図示しないストッパーによって更に開く方向への移動が阻止されており、かつ、作動棒１２ａ及び１２ｂとアーム１１ａ及び１１ｂとの自重によって閉じる方向への移動も抑制されているため、扉３ａ及び３ｂが両開きに大きく開放された状態が維持される。したがって、収納作業時に収納がしやすいと共に、扉が予期せず移動することがなく、使い勝手が向上する。
【００４０】
尚、上記の実施の形態では、扉に取付けられた一対の作動棒を連結するための連結体は、回動軸と一対のアームによって構成されているが、必ずしもこのように構成する必要はなく、一方の扉の開閉に伴って他方の扉を開閉するように一対の作動棒を移動させる連結体であれば良い。
【００４１】
また、上記の実施の形態では、連結体の一部である回動軸は、一対の支持ブラケットを介してその両端部が収納装置に取付けられているが、必ずしも回動軸をこのように取付ける必要はなく、回動軸の他の部分を支持するように取付けても良い。
【００４２】
更に、上記の実施の形態では、接続体である作動棒は、両端部が折り曲げられ、扉ブラケット及びアームに形成された開口を挿通するように取付けられているが、必ずしもこのように構成する必要はなく、それぞれの端部が回動自在に取付けられていれば良い。
【００４３】
更に、上記の実施の形態では、アームと作動棒の移動を停止するためのストッパーが、アームの移動を停止するように取付けられているが、必ずしも必要なものではない。また、ストッパーを取付けるにしても、このように構成する必要はなく、アームと作動棒の少なくとも一方の移動を停止することができるものであれば良い。
【００４４】
更に、上記の実施の形態では、台所の収納装置に適用しているが、他の両開きの扉にも同様に適用することが可能である。
【００４５】
更に、上記の実施の形態では、両開きの扉を水平方向に開閉自在となるように取付けているが、必ずしも水平方向に限らず、他の方向に開閉するように取付けることも可能である。
【図面の簡単な説明】
【図１】この発明の第１の実施の形態による収納装置の正面図である。
【図２】図１で示したＩＩ−ＩＩラインの断面図である。
【図３】図１で示したＩＩＩ−ＩＩＩラインの断面図である。
【図４】この発明の第１の実施の形態による収納装置における扉の開閉機構の概略図である。
【図５】図４で示したＶ−Ｖラインから見た図である。
【図６】この発明の第１の実施の形態による収納装置における扉の開閉動作を示した図である。
【図７】台所における従来の収納装置の使用状態を示した図である。
【図８】図７で示したＶＩＩＩ−ＶＩＩＩラインの断面図である。
【図９】図７で示したＩＸ−ＩＸラインの断面図である。
【符号の説明】
１…収納装置
２…収納本体
３…扉
１０…回動軸
１１…アーム
１２…作動棒
１３…支持ブラケット
１４、１５、２０…端部
１６…扉ブラケット
１８…ストッパー
尚、各図中同一符号は同一又は相当部分を示す。
【図１】
2004332391.tif 000003
【図２】
2004332391.tif 000004
【図３】
2004332391.tif 000005
【図４】
2004332391.tif 000006
【図５】
2004332391.tif 000007
【図６】
2004332391.tif 000008
【図７】
2004332391.tif 000009
【図８】
2004332391.tif 000010
【図９】
2004332391.tif 000011